(57)【要約】      （修正有）【課題】表示対象物の立体的形状を３次元的に見易く表示することができる略直方体状の画像表示装置を提供する。【解決手段】５つのモニタ１〜５と、各モニタに映像を出力する５つのコントローラ２０、３０と、１つのＨＵＢ８とを備える。この５つのコントローラ２０、３０は、ＨＵＢ８を介してネットワークケーブルで相互に接続されている。そして、１つのコントローラ２０が表示対象物の正面の映像を１つのモニタ１に出力するタイミングで、他の４つの各コントローラ３０が他の４つのモニタ２〜５に表示対象物の背面、右側面、左側面、上部の映像をそれぞれ出力するように、各コントローラ間でネットワークを介して同期信号が相互に送受信されるように構成する。【選択図】図３
0003206718.tif 000002
【実用新案登録請求の範囲】
【請求項１】
表示対象物の立体的形状を表示するための略直方体状の画像表示装置であって、
少なくとも４つのモニタと、前記各モニタに映像を出力する４つのコントローラと、１つのＨＵＢとを備え、
前記４つのコントローラは、前記ＨＵＢを介してネットワークケーブルで相互に接続され、
前記コントローラの１つが表示対象物の正面の映像を１つのモニタに出力するタイミングで、他のコントローラが他のモニタに表示対象物の背面、右側面、左側面の映像をそれぞれ出力するように、前記各コントローラ間でネットワークを介して同期信号が相互に送受信されることを特徴とする画像表示装置。
【請求項２】
表示対象物の立体的形状を表示するための略直方体状の画像表示装置であって、
５つのモニタと、前記各モニタに映像を出力する５つのコントローラと、１つのＨＵＢとを備え、
前記５つのコントローラは、前記ＨＵＢを介してネットワークケーブルで相互に接続され、
前記コントローラの１つが表示対象物の正面の映像を１つのモニタに出力するタイミングで、他のコントローラが他のモニタに表示対象物の背面、右側面、左側面及び上部（平面）の映像をそれぞれ出力するように、前記各コントローラ間でネットワークを介して同期信号が相互に送受信されることを特徴とする画像表示装置。
【請求項３】
前記各モニタは、液晶ディスプレイであることを特徴とする請求項１又は請求項２記載の画像表示装置。
【考案の詳細な説明】
【技術分野】
【０００１】
本考案は、正投影図の六面図のように、対象物に対して視点を９０度ずつ回転させ、各視点方向から見た対象物の映像を同時に表示するための画像表示装置に関する。
【背景技術】
【０００２】
従来から動画や静止画の映像を大画面のマルチ画面（モニタ）で表示する技術が知られている。例えば、マルチ画面に映像を再生するシステムでは、各画面の映像信号が同期されることにより映像が各画面に正しいタイミングで再生され、画面全体として滑らかで自然な１つの映像が再生される。
【０００３】
特許文献１は、同期化された映像再生を可能とするとともに色処理やコンテンツ切替などの変則的な再生を可能とするマルチ画面映像再生システムを開示している。
【先行技術文献】
【特許文献】
【０００４】
【特許文献１】特開２００５−２５０４４５号公報
【特許文献２】特開平８−２４１０４６９号公報
【特許文献３】特開２００８−２５２４２２号公報
【特許文献４】特開２００８−５１８４８号公報
【特許文献５】特許第３８８３１９４号公報
【特許文献６】特許第３０２６７１６号公報
【特許文献７】登録実用新案第３０８１８１６号公報
【特許文献８】特開２００４−４２８１号公報
【特許文献９】特開２００８−３０９９３６号公報
【特許文献１０】特開昭６２−２５７８３号公報
【特許文献１１】特開平６−２８９９５２号公報
【特許文献１２】特許第５７０４８７２号公報
【特許文献１３】実開昭６１−６１５７４号公報
【考案の概要】
【考案が解決しようとする課題】
【０００５】
しかしながら、従来のマルチ画面映像再生システムは、１つの視点から見た表示対象物をマルチ画面全体で２次元的に表示させるだけであり、表示対象物を３次元的に見易く表示することは難しかった。
【０００６】
本考案は、以上の点を考慮してなされたものであり、表示対象物を３次元的に見易く表示することができる画像表示装置を提供することを主な目的とする。
【課題を解決するための手段】
【０００７】
本考案の一様態に係る画像表示装置は、
表示対象物の立体的形状を表示するための略直方体状の画像表示装置であって、
少なくとも４つのモニタと、前記各モニタに映像を出力する４つのコントローラと、１つのＨＵＢとを備え、
前記４つのコントローラは、前記ＨＵＢを介してネットワークケーブルで相互に接続され、
前記コントローラの１つが表示対象物の正面の映像を１つのモニタに出力するタイミングで、他のコントローラが他のモニタに表示対象物の背面、右側面、左側面の映像をそれぞれ出力するように、前記各コントローラ間でネットワークを介して同期信号が相互に送受信されることを特徴とする。
【０００８】
このような構成によって、表示対象物の正面の映像が表示された画面を基準にしてその他の各画面に表示対象物の背面、側面の映像をそれぞれ同時に表示させることができる。
【考案の効果】
【０００９】
本考案の画像表示装置によれば、表示対象物を３次元的に見易く表示することができる。
【図面の簡単な説明】
【００１０】
【図１】本実施形態の画像表示装置を示す斜視図
【図２】本実施形態の画像表示装置を示す図であり、（ａ）は正面図であり、（ｂ）は右側面図
【図３】本実施形態の画像表示装置の内部構造を示す図
【図４】（ａ）はメインコントローラのブロック構成を示す図であり、（ｂ）はコントローラのブロック構成を示す図
【考案を実施するための形態】
【００１１】
以下、図面を参照して本実施形態について説明する。各図の同一又は同類の部材には同一の符号を用いるか又は添字のみ異ならせて表示するものとし、重複した説明を省略しているが、本実施形態の記載は本考案の技術的思想を理解するために合目的的に解釈され、実施形態の記載に限定解釈されるべきものではない。
【００１２】
図１は、本実施形態の画像表示装置を示す斜視図である。図１に示すように、画像表示装置１０は、全体的に直方体形状であり、その各面に正面モニタ１と、図示しない背面モニタ２と、右側面モニタ３と、図示しない左側面モニタ４と、上部（平面）モニタ５とが設けられている。
【００１３】
また、画像表示装置１０の右側面には入出力部６が設けられ、画像表示装置１０の底部には高さを調整するアジャスター７が設けられている。画像表示装置１０の内部には、図示しない１つのメインコントローラ（映像出力装置）と、４つのコントローラ（映像出力装置）と、メインコントローラと他のコントローラとをそれぞれ接続するためのネットワーク、具体的には、ＨＵＢ及びイーサネット（登録商標）ケーブルと、メインコントローラ及びコントローラから各モニタ１〜５にそれぞれ接続するためのケーブルとを有している。
【００１４】
図２は、本実施形態の画像表示装置を示す図である。図２（ａ）は正面図であり、図２（ｂ）は右側面図である。図２（ａ）に示すように、画像表示装置１０は、正面に正面モニタ１が設けられている。この正面モニタ１には例えばスクエアタイプの１９インチ液晶ディスプレイを用いてもよい。また、図２（ｂ）に示すように、画像表示装置１０は、右側面に右側面モニタ３と入力部６とが設けられている。この右側面モニタ３には例えばスクエアタイプの１５インチ液晶ディスプレイを用いてもよい。上記各モニタ１〜５は、適宜画面の大きさや形状を変更してもよい。入出力部６は、外部のネットワークと接続するためのネットワークインターフェース６ａと、電源ケーブルを接続するための電源コネクタ６ｂとを有する。入出力部６は、他の入出力インターフェースが設けられていてもよく、右側面と異なった面に設けられていてもよい。
【００１５】
図３は、本実施形態の画像表示装置の内部構造を示す図である。図３に示すように、画像表示装置１０は、内部に、１つのメインコントローラ２０と、４つのコントローラ３０と、イーサネット（登録商標）ケーブル及びＨＵＢ８からなるネットワークと、メインコントローラ２０と正面モニタ１とを接続するケーブルと、コントローラ３０と背面モニタ２、右側面モニタ３、左側面モニタ４、上部モニタ５とをそれぞれ接続するケーブルとを有する。メインコントローラ２０は、イーサネット（登録商標）ケーブルでＨＵＢ８を介して４つのコントローラ３０と接続される。また、メインコントローラ２０及びコントローラ３０と各モニタ１〜５の接続ではＶＧＡやＨＤＭＩ（登録商標）等の様々な規格を用いることができる。
【００１６】
画像表示装置１０の内部のネットワークは入出力部６のネットワークインターフェース６ａに接続されている。メインコントローラ２０、コントローラ３０、各モニタ１〜５、ＨＵＢ８等の各機器は、いずれも入出力部６の電源コネクタ６ｂに接続されるように構成してもよい。
【００１７】
図４（ａ）は、メインコントローラ２０のブロック構成を示す図であり、図４（ｂ）は、コントローラ３０のブロック構成を示す図である。図４（ａ）に示すように、このメインコントローラ２０は装置全体を制御するＣＰＵ２１と、フラッシュメモリーやハードディスクなどのストレージデバイス２２と、ＲＡＭ等の一時記憶手段２３と、ネットワークインターフェース２４と、制御手段２５と、映像出力手段２６などを一つの筐体内に備える。ストレージデバイス２２は、ＯＳ、表示対象物の正面の映像データ、映像を出力するためのプログラム、コントローラ３０と同期するためのプログラムを記録したりＣＰＵ２１による演算結果をデータとして保存したりする。このストレージデバイス２２は、ＳＤカードを用いてもよい。また、映像データを保存するためのデバイスとしてストレージデバイス２２とは別にＳＤスロット及びＳＤカードを備えていてもよい。このようなＳＤカードを用いると、映像データの変更が容易にできる。
【００１８】
また、図４（ｂ）に示すように、このコントローラ３０は装置全体を制御するＣＰＵ３１と、フラッシュメモリーやハードディスクなどのストレージデバイス３２と、ＲＡＭ等の一時記憶手段３３と、ネットワークインターフェース３４と、制御手段３５と、映像出力手段３６などを一つの筐体内に備える。ストレージデバイス３２は、ＯＳ、表示対象物の各モニタ２〜５に対応する背面、右側面、左側面又は上部のいずれか１つの映像データ、映像を出力するためのプログラム、メインコントローラ２０と同期するためのプログラムを記録したりＣＰＵ３１による演算結果をデータとして保存したりする。このストレージデバイス３２は、ＳＤカードを用いてもよい。また、映像データを保存するためのデバイスとしてストレージデバイス３２とは別にＳＤスロット及びＳＤカードを備えていてもよい。このようなＳＤカードを用いると、映像データの変更が容易にできる。
【００１９】
上記制御手段２５、３５で各ＣＰＵ２１、３１に以下の処理を実行させる。メインコントローラ２０及び４つのコントローラ３０間でネットワークを介して同期信号を相互に送受信させ、コントローラ３０がメインコントローラ２０と同期して動作するようにする。具体的には、メインコントローラ２０において正面モニタ１に表示対象物の正面の映像を出力させると同時にタイミングを合わせて各コントローラ３０において背面モニタ２、右側面モニタ３、左側面モニタ４、上部モニタ５に表示対象物の背面、右側面、左側面、上部の映像をそれぞれ出力させる。
【００２０】
メインコントローラ２０はBrghtSign HD1020（BrghtSign LLC.社製、商品名）を、各コントローラ２０はBrghtSign HD220（BrghtSign LLC.社製、商品名）をそれぞれ用いてもよい。
【００２１】
本実施形態の画像表示装置１０では、メインコントローラ２０において正面モニタ１に表示対象物の正面の映像を出力させると同時に各コントローラ３０において背面モニタ２、右側面モニタ３、左側面モニタ４、上部モニタ５に表示対象物の背面、右側面、左側面、上部の映像をそれぞれ出力させるため、表示対象物を３次元的に見易く表示することができる。
【００２２】
本実施形態の画像表示装置１０では、正面モニタ以外のモニタを減らした構成、例えば、上部モニタ５が無い構成であってもよい。この場合、本実施形態の画像表示装置１０は、各モニタ１〜４を同期させて正面モニタ１、背面モニタ２、右側面モニタ３、左側面モニタ４に表示対象物の正面、背面、右側面、左側面の映像をそれぞれ表示する。
【００２３】
本実施形態の画像表示装置１０では、メインコントローラ２０及び４つのコントローラ３０が接続されたネットワークに新たにサーバを接続して、そのサーバから各コントローラ２０、３０へ対応する映像データをそれぞれ配信し、新たな映像に差し替えるようにしてもよい。
【符号の説明】
【００２４】
１  正面モニタ
２  背面モニタ
３  右側面モニタ
４  左側面モニタ
５  上部モニタ
６  入出力部
７  アジャスター
８  ＨＵＢ
１０  画像表示装置
２０  メインコントローラ（映像出力装置、親機）
２１  ＣＰＵ（中央演算処理装置）
２２  ストレージ（記憶装置）
２３  一時記憶手段（ＲＡＭ）
２４  ネットワークインターフェース
２５  制御手段
２６  映像出力手段
３０  コントローラ（映像出力装置、子機）
３１  ＣＰＵ（中央演算処理装置）
３２  ストレージ（記憶装置）
３３  一時記憶手段（ＲＡＭ）
３４  ネットワークインターフェース
３５  制御手段
３６  映像出力手段
【図１】
0003206718.tif 000003
【図２】
0003206718.tif 000004
【図３】
0003206718.tif 000005
【図４】
0003206718.tif 000006